(57)【特許請求の範囲】
【請求項１】
容器の口部に固定保持されるベースと、該ベースに上下動可能に保持されるとともに、上部位置で内容物の注出経路を開放し、下部位置で該注出経路を閉塞するヘッドと、該ベースにヒンジを介して開閉可能に結合し該ヘッドを覆い隠すヒンジキャップとを備え、前記容器の傾転もしくは反転姿勢によって、開放した前記注出経路を経て前記ヘッドの頭頂面の開孔から容器内の内容物を注出する注出器において、
前記ヘッドの頭頂面に、一端が前記開孔につながり他端が該開孔よりも上方に位置する傾斜溝を設け、
前記ヒンジキャップの内壁面に、該ヒンジキャップの閉動作により該ヘッドを下部位置に押し下げるとともに該ヘッドの側壁と係合し、該ヒンジキャップの開動作により該ヘッドを上部位置まで引き上げるとともに前記係合を解除する、吊り下げ弾性舌片を設けたことを特徴とする注出器。
【請求項２】
前記ベースに、縦リブ又は縦溝を設け、前記ヘッドの側壁に、該縦リブ又は縦溝に適合する縦溝又は縦リブを設けた請求項１記載の注出器。
【発明の詳細な説明】
【技術分野】
【０００１】
本発明は、容器の口部に取り付けられる注出器に関するものであり、簡単な構造でありながら内容物を意図した量だけ注出することが可能であり、注出後は手や容器を汚すことなく閉塞できるものである。
【背景技術】
【０００２】
例えば洗剤や化粧品、整髪料、医薬品等の内容物を収容する容器の口部に装着される注出器としては、上方に向けて突設した棒状の栓体に上下動可能に保持されたヘッドを備えたものが知られており(例えば特許文献１参照)、使用時はヘッドを引き上げてこのヘッドに設けた注出口を開放し、使用後はヘッドを押し下げて栓体を注出口にはめ込むことで、注出口が閉塞できるようになっている。
【先行技術文献】
【特許文献】
【０００３】
【特許文献１】実開平６−１６２５４号公報
【発明の概要】
【発明が解決しようとする課題】
【０００４】
ところで、上記のような注出器を取り付けた容器から内容物を注出するには、ヘッドを上方に引き上げた状態で容器を上下逆さまにして容器胴部をスクイズするが、注出量の調整はスクイズの加減によるところが大きく、意図した量だけ注出することは容易ではなかった。また注出後には、注出口の周囲に溜まった内容物が液ダレすることもあり、ヘッドを押し下げて容器を閉栓する際に、この内容物で指を汚すこともあった。
【０００５】
本発明の課題は、ヘッドを上下に移動させて内容物の注出経路を開放、閉塞する注出器に関し、構造の複雑化を伴うことなしに内容物を意図した量だけ注出することができ、注出後は手や容器を汚すことなく注出経路が閉塞される注出器を提案するところにある。
【課題を解決するための手段】
【０００６】
本発明は、容器の口部に固定保持されるベースと、該ベースに上下動可能に保持されるとともに、上部位置で内容物の注出経路を開放し、下部位置で該注出経路を閉塞するヘッドと、該ベースにヒンジを介して開閉可能に結合し該ヘッドを覆い隠すヒンジキャップとを備え、前記容器の傾転もしくは反転姿勢によって、開放した前記注出経路を経て前記ヘッドの頭頂面の開孔から容器内の内容物を注出する注出器において、
前記ヘッドの頭頂面に、一端が前記開孔につながり他端が該開孔よりも上方に位置する傾斜溝を設け、
前記ヒンジキャップの内壁面に、該ヒンジキャップの閉動作により該ヘッドを下部位置に押し下げるとともに該ヘッドの側壁と係合し、該ヒンジキャップの開動作により該ヘッドを上部位置まで引き上げるとともに前記係合を解除する、吊り下げ弾性舌片を設けたことを特徴とする注出器である。
【０００７】
前記ベースに、縦リブ又は縦溝を設け、前記ヘッドの側壁に、該縦リブ又は縦溝に適合する縦溝又は縦リブを設けることが望ましい。
【発明の効果】
【０００８】
ヘッドの頭頂面に、容器の内側につながる開孔と、一端がこの開孔につながり他端がこの開孔よりも上方に位置する傾斜溝を設けたので、ヘッドの外表面に付着した内容物を、この傾斜溝から開孔を通して容器内部に回収することが可能となり、ヘッドの開孔周辺を汚すおそれが軽減される。また、内容物を大量に注出するときは開孔から直接注出し、少量でよいときは傾斜溝を伝わらせて注出することができるので、簡易な構造でありながら意図した量を注出することが可能となる。さらに、ヒンジキャップの内壁面から吊り下がる弾性舌片を設け、ヒンジキャップの閉動作によってヘッドを下部位置に押し下げるとともにこの弾性舌片をヘッドの側壁と係合させ、ヒンジキャップの開動作によってヘッドを上部位置まで引き上げるとともに前記係合を解除するようにしたので、指でヘッドを触ることなく注出経路の開放、閉塞が可能となる。
【０００９】
ベースに縦リブ又は縦溝を形成し、ヘッドの側壁にこの縦リブ又は縦溝に適合する縦溝又は縦リブを設けた場合には、ヘッドとベースの位置が定まるので、ヒンジキャップを開けるとヘッドが意図しない向きを向いていることがなく、ヘッドの向きに合うように容器本体を持ちかえる手間がかかることはない。
【図面の簡単な説明】
【００１０】
【図１】本発明に従う注出器の実施の形態につき、容器の口部に取り付けてヒンジキャップを閉めた状態を示す断面図である。
【図２】図１に示す注出器につき、ヒンジキャップを開いてヘッドが上方へ移動した状態を示した断面図と、弾性舌片のＡ−Ａ断面図である。
【図３】図１に示す注出器につき、ヘッドの背面側の外観斜視図である。
【発明を実施するための形態】
【００１１】
以下、図面を参照して、本発明をより具体的に説明する。
図１は、本発明に従う注出器の実施の形態につき、容器の口部に取り付けてヒンジキャップを閉めた状態を示す断面図であり、図２は、図１に示す注出器のヒンジキャップを開いてヘッドが上方へ移動した状態を示した断面図と、弾性舌片のＡ−Ａ断面図であり、図３は、図１に示す注出器のヘッドを背面側から示した外観斜視図である。
なお図１において、容器本体の軸線Ｍに沿う向きが上下方向であり（容器の口部から見てヒンジキャップが位置する側が上方）、軸線Ｍに直交する方向（図１において軸線Ｍから左又は右に向かう方向）が径方向である。またヒンジキャップの摘みが設けられている側が前面であり、ヒンジが設けられている側が背面である。
【００１２】
図１において、１は容器本体である。容器本体１は、頂部において開口する口部１ａを有し、その口部１ａから下方に向けて連続してつながる図示しない側壁及び底壁によって、内容物を収納する充填空間を区画形成している。
【００１３】
２は、容器本体１の口部１ａ固定保持されるベースである。図示の例でベース２は、口部１ａの内側に入り込んで上向き開放の環状凹部を形成する、外縁にフランジｆを備える有底筒体２ａと、この有底筒体２ａのフランジｆの縁部から垂下され、口部１ａを取り囲む外壁２ｂを備えている。有底筒体２ａと外壁２ｂとの相互間には、下向き開放の環状凹部が形成され、この下向き開放の環状凹部に口部１ａを挿入している。外壁２ｂの内側には、口部１ａの外壁に設けたねじ部ｎ１に係合するねじ部ｎ２が設けられており、ベース２は、容器本体１に対して着脱可能に保持されている。またベース２の保持は、ねじによる保持だけでなく、アンダーカットによる保持であっても良い。
【００１４】
有底筒体２ａの底壁には、この底壁から起立する棒状の栓体２ａ１と、容器内部の内容物を通過させる貫通開孔２ａ２が形成されている。図示の例で貫通開孔２ａ２は、栓体２ａ１の軸心を中心として周方向に間隔をあけて複数配置されたものであり、栓体２ａ１は、この貫通開孔２ａ２の相互間に形成される、栓体２ａ１の軸心（容器本体１の軸心Ｍと一致している）を中心とする放射状のリブで有底筒体２ａと結合している。また有底筒体２ａの底壁には、貫通開孔２ａ２の外側から立ち上がる環状筒体２ａ３が形成されている。
【００１５】
３は、ベース２に上下動可能に保持されて、その内側を内容物の注出経路とするヘッドである。図１は、ヘッド３が下部位置に移動した状態を示している。ヘッド３は、頭頂面となる天面壁３ａと、この天面壁３ａの下面から垂下され、ベース２の有底筒体２ａと環状筒体２ａ３の相互間に形成される上向き開放の環状凹部に入り込む、側壁３ｂを備えている。天面壁３ａは、容器の背面側から前面側に向かって高くなるように傾斜している。側壁３ｂの径方向内側には、天面壁３ａの下面から垂下され、環状筒体２ａ３の内側に入り込む内側筒体３ｃが形成されている。環状筒体２ａ３と内側筒体３ｃで囲まれる内部空間は、貫通開孔２ａ２を通過した内容物の注出経路であり、天面壁３ａには、内容物の注出口となる開孔３ａ１と、天面壁３ａと同じ向きに沿って傾斜する傾斜溝３ａ２と、傾斜溝３ａ２の前面側に位置する開放端３ａ３とが設けられている。傾斜溝３ａ２は、一端が開孔３ａ１につながっており、他端となる開放端３ａ３が、開孔３ａ１よりも上方に位置している。ヘッド３が下部位置にある図１に示す状態では、栓体２ａ１が開孔３ａ１に嵌まり込んで内容物の注出が阻止されており、ヘッド３が上部位置にある図２に示す状態では、開孔３ａ１が開放されて内容物を注出することができる。ここで内側筒体３ｃの下方外側には、環状筒体２ａ３と液密に当接するシール体３ｃ１が設けられており、ヘッド３が、側壁３ｂ及び内側筒体３ｃの少なくとも一方をガイドとして上下動しても、内容物が開孔３ａ１以外から外部に漏れ出すことがない。また側壁３ｂの内側には、環状筒体２ａ３の外側に設けられた突部２ａ４に係合して、ヘッド３が上方に向けて移動した際の抜け止めとなる突部３ｂ１が形成されている。さらにヘッド３は、図３に例示するように、側壁３ｂから径方向外側に向けてそれぞれ突出する、一対の突起３ｂ２を備えている。
【００１６】
４は、ベース２にヒンジを介して開閉可能に結合し、ヘッド３を覆い隠す収納空間を備えたヒンジキャップである。図示の例でヒンジ２ｄは、ベース２の背面側に起立する背面壁２ｃの上部に設けられており、ヒンジキャップ４は、ベース２と一体連結している。ヒンジキャップ４の前面側には、ヒンジキャップ４を開ける際の手掛かりとなる、摘み４ａが設けられている。ヒンジキャップ４の天面壁の下面である内壁面からは、図２のＡ−Ａ断面に示す断面形状となる一対の弾性舌片４ｂが、ヘッド３を挟んで吊り下げ保持されており、図１に示すヒンジキャップ４を閉めた状態で、突起３ｂ２に係合するようになっている。
【００１７】
上記のような注出器から内容物を注出するには、まず摘み４ａを引き上げて、ヒンジキャップ４を図１に示す閉じた状態から図２に示す開けた状態にする。この時、弾性舌片４ｂは、突起３ｂ２に係合しているので、ヒンジキャップ４の開動作に伴ってヘッド３を上方に引き上げることができる。ヘッド３が上部位置に到達してさらに開動作を継続すると、弾性舌片４ｂと突起３ｂ２の係合が外れるので、ヒンジキャップ４を完全に開く（ヘッド３の開孔３ａ１とベース２の栓体２ａ１も開放）ことができる。
【００１８】
ヒンジキャップ４を開いた後、容器本体１を傾ける傾転姿勢もしくは上下逆さまとなる反転姿勢とし、容器本体１の胴部をスクイズすることで内容物を注出することができる。ここで内容物を、傾斜溝３ａ２を伝わらせること無く、開孔３ａ１から直接注出するようにすると、内容物を大量に吐出することができる。また、容器本体１を緩やかに傾けてスクイズし、開孔３ａ１から出る内容物が、傾斜溝３ａ２を伝って開放端３ａ３から少しずつ流れ出るようにすれば、少量の内容物を吐出することができる。必要量の内容物を注出した後に容器本体１の傾きを元に戻すと、傾斜溝３ａ２に溜まった内容物は、傾斜溝３ａ２の側面及び底面を伝って下方に向かい、開孔３ａ１に通して容器本体１に回収することができるので、ヘッド３を内容物で汚すおそれが軽減される。なお内容物の粘度が低い場合は、胴部をスクイズしなくても、容器本体１の傾き加減で上記の如く内容物を注出して、所望の量を得ることができる。
【００１９】
開孔３ａ１を閉塞するには、ヘッド３を指で直接押し下げなくても、ヒンジキャップ４を閉めるだけでよい。ヒンジキャップ４を閉めていくと、弾性舌片４ｂが突起３ｂ２に係合するので、ヒンジキャップ４の閉動作に伴ってヘッド３を下部位置まで押し下げることができる。
【００２０】
また本発明においては、ベース２に縦リブ又は縦溝を設け、ヘッド３の側壁３ｂに、この縦リブ又は縦溝に適合する縦溝又は縦リブを設けることが好ましい。図示の例示では、ベース２の背面側に縦リブ２ａ５を設け、ヘッド３の背面側の側壁３ｂに縦リブ２ａ５に適合する縦溝３ｂ３を形成した場合を示している。このため、ヒンジキャップ４を開けると開放端３ａ３が意図していない方向を向いているということがなく、ノズルの位置ズレを防止することができる。またヒンジキャップ４を閉める際に、弾性舌片４ｂをヘッド３の開放端３ａ３にぶつけて、予期せぬ破損が発生することもない。さらに上記縦リブと縦溝の組み合わせは、ヘッド３を上下動させる際のガイドとして利用することも可能である。
【００２１】
なお図示の例では、弾性舌片４ｂが側壁３ｂの突起３ｂ２と係合する場合を示したが、側壁３ｂに凹所を形成し、この凹所に弾性舌片４ｂが係合するようにしてもよい。また弾性舌片４ｂは、ヘッド３を挟む一対のものとして示したが、片側１箇所であってもよい。
【産業上の利用可能性】
【００２２】
本発明によれば、ヘッドを上下に移動させて内容物の注出経路を開放、閉塞する注出器に関し、構造の複雑化を伴うことなしに内容物を意図した量だけ注出することができ、注出後は手や容器を汚すことなく注出経路が閉塞されることを可能とする注出器を提供できる。
【符号の説明】
【００２３】
１    容器本体
１ａ  口部
２    ベース
２ａ  有底筒体
２ｂ  外壁
２ｃ  背面壁
２ｄ  ヒンジ
３    ヘッド
３ａ  天面壁
３ｂ  側壁
３ｃ  内側筒体
４    ヒンジキャップ
４ａ  摘み
４ｂ  弾性舌片
Ｍ    軸線
【図１】
0005419824.tif 000002
【図２】
0005419824.tif 000003
【図３】
0005419824.tif 000004